(57)【要約】      （修正有）【課題】掘削翼体から容易に着脱できる掘削ビットを提供する。【解決手段】掘削翼体のホルダ４５に掘削ビット２３ａを着脱可能に設けた掘削刃体において、掘削翼体と掘削ビット２３ａとの間に封止材５４〜５９、掘削翼体と掘削ビット２３ａとを締結する締結具４４の頭部に封止材６０を設ける。締結具４４は、六角穴付ボルトとし、頭部が掘削ビット２３ａの上面と同一位置又は上面よりも低い位置となり、掘削翼体に形成したネジ部に締結される。また、掘削ビット２３ａは、刃部４７の上端部を凸状に、刃部４７を２個の先鋭刃６２、６３を並べて形成するとともに、２個の先鋭刃６２、６３の上方の間に溝６４を形成する。さらに、掘削ビット２３ａは、掘削翼体の最も外側に位置する先鋭刃６３の先鋭端を外側に偏らせた形状とする。【選択図】図５
2019039219.tif 000002
【特許請求の範囲】
【請求項１】
掘削翼体に掘削ビットを着脱可能に設けた掘削刃体において、
掘削翼体と掘削ビットとの間に封止材を設けたことを特徴とする掘削刃体。
【請求項２】
掘削翼体に掘削ビットを着脱可能に設けた掘削刃体において、
掘削翼体と掘削ビットとを締結する締結具の頭部に封止材を設けたことを特徴とする掘削刃体。
【請求項３】
前記締結具は、六角穴付ボルトとし、頭部が掘削ビットの上面と同一位置又は上面よりも低い位置となり、掘削翼体に形成したネジ部に締結されることを特徴とする請求項２に記載の掘削刃体。
【請求項４】
前記掘削ビットは、刃部の上端部を凸状に形成したことを特徴とする請求項１〜請求項３のいずれかに記載の掘削刃体。
【請求項５】
前記掘削ビットは、刃部を２個の先鋭刃を並べて形成するとともに、２個の先鋭刃の上方の間に溝を形成したことを特徴とする請求項１〜請求項４のいずれかに記載の掘削刃体。
【請求項６】
前記掘削ビットは、掘削翼体の最も外側に位置する前記先鋭刃の先鋭端を外側に偏らせた形状としたことを特徴とする請求項５に記載の掘削刃体。
【発明の詳細な説明】
【技術分野】
【０００１】
本発明は、掘削翼体に掘削ビットを着脱可能に設けた掘削刃体に関するものである。
【背景技術】
【０００２】
地盤の掘削や改良などの工事において、地盤を掘削するために掘削装置が使用されている。この掘削装置では、モーター等の駆動源に接続された回転軸の先端に掘削刃体が設けられている。掘削刃体は、回転軸に取付けられた掘削翼体に地盤の掘削を行う掘削ビットを設けている。そして、掘削装置では、回転軸の回転に伴って掘削翼体を回転させ、掘削ビットで地盤を掘削する（たとえば、特許文献１参照。）。
【０００３】
この掘削装置に設けられている掘削刃体には、概ね、掘削翼体に掘削ビットを溶接したもの（溶接式掘削刃体）と、掘削翼体に掘削ビットをボルト及びナットを用いて着脱可能に設けたもの（着脱式掘削刃体）とがある。溶接式掘削刃体は安価であるものの、着脱式掘削刃体のほうが掘削ビットの破損や摩耗などによって交換の必要があるときに掘削ビットだけを容易に交換することができるので、溶接式掘削刃体よりも着脱式掘削刃体の方がコストメリットがある。
【先行技術文献】
【特許文献】
【０００４】
【特許文献１】特開２００２−３３９６８０号公報
【発明の概要】
【発明が解決しようとする課題】
【０００５】
ところが、上記従来の着脱式掘削刃体では、掘削ビットを掘削翼体に固定するボルトやナットが頭部と底部とで突出していることが原因で、掘削により通過する土砂・石等の摩擦や衝撃によってボルトやナットが摩耗や破損してしまい、掘削ビットを掘削翼体から取り外すことができなくなるおそれがあった。
【０００６】
また、固化材を使用した地盤改良工事においては、掘削翼体と掘削ビットとの間やボルト・ナットに固化材等が侵入して固化してしまい、ハンマー等で打撃を加えても外すことができなくなり、結果的に掘削ビットを掘削翼体から取り外すことができなくなるおそれがあった。
【課題を解決するための手段】
【０００７】
そこで、請求項１に係る本発明では、掘削翼体に掘削ビットを着脱可能に設けた掘削刃体において、掘削翼体と掘削ビットとの間に封止材を設けることにした。
【０００８】
また、請求項２に係る本発明では、掘削翼体に掘削ビットを着脱可能に設けた掘削刃体において、掘削翼体と掘削ビットとを締結する締結具の頭部に封止材を設けることにした。
【０００９】
また、請求項３に係る本発明では、前記請求項２に係る本発明において、前記締結具は、六角穴付ボルトとし、頭部が掘削ビットの上面と同一位置又は上面よりも低い位置となり、掘削翼体に形成したネジ部に締結されることにした。
【００１０】
また、請求項４に係る本発明では、前記請求項１〜請求項３のいずれかに係る本発明において、前記掘削ビットは、刃部の上端部を凸状に形成することにした。
【００１１】
また、請求項５に係る本発明では、前記請求項１〜請求項４のいずれかに係る本発明において、前記掘削ビットは、刃部を２個の先鋭刃を並べて形成するとともに、２個の先鋭刃の上方の間に溝を形成することにした。
【００１２】
また、請求項６に係る本発明では、前記請求項５に係る本発明において、前記掘削ビットは、掘削翼体の最も外側に位置する前記先鋭刃の先鋭端を外側に偏らせた形状とすることにした。
【発明の効果】
【００１３】
そして、本発明では、以下に記載する効果を奏する。
【００１４】
すなわち、本発明では、掘削翼体に掘削ビットを着脱可能に設けた掘削刃体において、掘削翼体と掘削ビットとの間に封止材を設けているために、掘削翼体と掘削ビットとの間に土砂や固化材などが侵入するのを防止することができるので、掘削翼体から掘削ビットを容易に取り外すことができ、掘削ビットの交換作業を容易なものとすることができる。
【００１５】
また、本発明では、掘削翼体に掘削ビットを着脱可能に設けた掘削刃体において、掘削翼体と掘削ビットとを締結する締結具の頭部に封止材を設けているために、、締結具の隙間に土砂や固化材などが侵入するのを防止することができ、締結具の取り外しが容易となる。
これにより、掘削翼体から掘削ビットを容易に取り外すことも可能となるため、掘削ビットの交換作業を容易なものとすることができる。
【００１６】
特に、前記締結具を六角穴付ボルトとし、頭部が掘削ビットの上面と同一位置又は上面よりも低い位置とすることで、掘削により移動する土砂・石等で締結具の頭部を摩耗・損耗させることを防止することができる。また、締結具を掘削翼体に形成したネジ部に直接締結するため、締結具の底部を摩耗・損耗させることを防止することができる。さらに、掘削翼体に形成したネジ部の追加効果として、仮に封止材等の劣化により固化材等が侵入して締結具が固着した場合でも、ネジ取外しによる強制的な回転作動に伴って、固着された部分の縁切れが行われ、確実に締結具を容易に取り外すことができるようになる。
【００１７】
また、前記掘削ビットの刃部の上端部を凸状に形成した場合には、凸部が抵抗となり掘削により移動する土砂等が直接に締結具に接触して頭部を摩耗・損耗させることを防止することができる。さらに、掘削ビット取外し時の際には、凸状部分をハンマー等で打撃することで掘削翼体から掘削ビットを容易に取り外すことができるようになる。
【００１８】
また、前記掘削ビットの刃部を２個の先鋭刃を並べて形成するとともに、２個の先鋭刃の上方の間に溝を形成することにした場合には、先鋭刃で掘削した土砂が、溝を介して円滑に２個の先鋭刃の間を上部方向へ通過して良好に排出させることができるため、先鋭刃間に土砂等が付着することによる掘削性能の低下を防止することができる。
【００１９】
さらに、前記掘削ビットのうちで掘削翼体の内側に位置する掘削ビットの２個の先鋭刃は、両刃状に形成するが、掘削翼体の最も外側に位置する前記先鋭刃の先鋭端を片刃状に外側に偏らせた形状とすることで、最外側部分を刃の先鋭部分として、確実に掘削することができるとともに、最外側部分の土砂が掘削ビット側面に接触する等により生じる側面の摩耗等の防止も可能となる。
【図面の簡単な説明】
【００２０】
【図１】地盤改良装置を示す側面図。
【図２】掘削装置を示す側面図。
【図３】同平面図。
【図４】掘削刃体を示す平面図。
【図５】掘削ビットを示す平面図（ａ）、同右側面図（ｂ）、同左側面図（ｃ）、同断面図（ｄ）。
【発明を実施するための形態】
【００２１】
以下に、本発明に係る掘削刃体の具体的な構成について図面を参照しながら説明する。なお、以下の説明では、本発明に係る掘削刃体を地盤改良装置の掘削装置に適用した場合について説明するが、これに限られず、本発明に係る掘削刃体は、他の掘削装置に適用することができる。
【００２２】
図１〜図３に示すように、地盤改良装置１は、地盤２を掘削するとともに、掘削した土壌と地盤改良材（固化材）とを撹拌混合することで、地盤２の強度や性状を改良するものである。この地盤改良装置１は、重機３の前端部に支柱４を立設し、この支柱４に掘削装置５を昇降自在に取付けている。この掘削装置５には、地盤改良材供給機構６がスイベルジョイント７を介して接続されている。地盤改良材供給機構６は、地盤改良材貯留タンク８と水槽９とを地盤改良材混合プラント10に接続するとともに、地盤改良材混合プラント10に地盤改良材吐出ポンプ11を接続して、地盤改良材を掘削装置５に供給するように構成している。
【００２３】
掘削装置５は、支柱４の前側部に昇降支持体12を昇降自在に取付け、この昇降支持体12に駆動体13を取付け、駆動体13に上下方向に伸延させた掘削軸14の基端部（上端部）を取付け、掘削軸14の先端部（下端部）に回転掘削部15を取付けている。ここで、回転掘削部15は、回転によって掘削を行うものであり、地盤改良装置１では、地盤２の掘削に加えて掘削した地盤と地盤改良材との撹拌・混合を行う機能をも有している。
【００２４】
駆動体13は、掘削軸14を構成する内側軸16と外側軸17とに駆動モータ18を反転変速機19を介して接続している。
【００２５】
掘削軸14は、同軸上に回転中心軸を配置した中空円筒状の内側軸16と外側軸17とで二重管状に形成されている。掘削軸14は、内側軸16の先端部を外側軸17の先端部よりも下方へ向けて突出させている。これらの内側軸16又は外側軸17は、駆動モータ18を駆動することで、反転変速機19の作用で相対的に反対方向へ向けて回転する。
【００２６】
回転掘削部15は、掘削軸14の先端部（下端部）に掘削刃体20と撹拌翼21とを先端側から順に取付けている。
【００２７】
掘削刃体20は、内側軸16の先端部外周面に２個の平板状の掘削翼体22を円周方向へ向けて180度の間隔をあけて外方へ向けて放射状に取付け、各掘削翼体22の下部に複数個の掘削ビット23を間隔をあけて着脱自在に取付けている。掘削刃体20は、内側軸16の回転に伴って掘削翼体22,22が回転し、掘削ビット23で地盤２を掘削する。なお、掘削刃体20の詳細な構成は後述する。
【００２８】
撹拌翼21は、最内側撹拌翼24と、その外周側に配置される内側撹拌翼25と、さらにその外周側に配置される外側撹拌翼26とで構成している。
【００２９】
最内側撹拌翼24は、外側軸17の先端部外周面に２個の平板状の最内側撹拌翼体27を円周方向へ向けて180度の間隔をあけて外方へ向けて放射状に取付けている。
【００３０】
内側撹拌翼25は、内側軸16の先端部に２個の内側撹拌翼体28を円周方向へ向けて180度の間隔をあけて外方へ向けて放射状に取付けている。各内側撹拌翼体28は、外方下部へ向けて傾斜状に伸延する内側撹拌翼上部片29と、下方へ向けて垂直状に伸延する内側撹拌翼中途部片30と、外方上部へ向けて傾斜状に伸延する内側撹拌翼下部片31とで、中途部を外方へ向けて膨出させた側面視で略コ字状に形成している。各内側撹拌翼体28は、内側撹拌翼下部片31を内側軸16の先端部側に取付けるとともに、内側撹拌翼上部片29を環状体32に取付け、環状体32を外側軸17の外周面に回動自在に遊嵌させている。また、各内側撹拌翼体28は、内側撹拌翼上部片29の上部や内側撹拌翼中途部片30の内側部や外側部に撹拌片33,34,35を取付けるとともに、内側撹拌翼中途部片30と内側軸16との間に連結片36を取付けている。
【００３１】
外側撹拌翼26は、外側軸17の先端部に３個の外側撹拌翼体37を円周方向へ向けて120度の間隔をあけて外方へ向けて放射状に取付けている。各外側撹拌翼体37は、外方下部へ向けて傾斜状に伸延する外側撹拌翼上部片38と、下方へ向けて垂直状に伸延する外側撹拌翼中途部片39と、外方上部へ向けて傾斜状に伸延する外側撹拌翼下部片40とで、中途部を外方へ向けて膨出させた側面視で略コ字状に形成している。各外側撹拌翼体37は、外側撹拌翼上部片38を外側軸17の先端部側に取付けるとともに、外側撹拌翼下部片40を環状体41に取付け、環状体41を内側軸16の外周面に回動自在に遊嵌させている。また、各外側撹拌翼体37は、外側撹拌翼上部片38の下部や外側撹拌翼中途部片39の内側部に撹拌片42,43を取付けている。
【００３２】
地盤改良装置１は、以上に説明したように構成している。そして、本発明の要部となる掘削装置５の掘削刃体20の詳細は、以下に説明するように構成している。
【００３３】
掘削刃体20は、図４に示すように、掘削翼体22に４個の掘削ビット23（23a〜23d）を締結具44で着脱自在に設けている。これにより、掘削刃体20は、掘削ビット23の破損や摩耗などが生じた際等に掘削ビット23を容易に交換することができるようになっている。なお、掘削ビット23は、掘削翼体22に直接設けてもよく、図４に示すように、掘削翼体22に取付けたホルダー45を介して設けてもよい。ここで、ホルダー45は、掘削ビット23を保持するための保持部45aの側部に、掘削ビット23の側面を当接させるための張出部45bを形成するとともに、保持部45aの後部に掘削ビット23の後面を当接させるための段部45cを形成している。
【００３４】
掘削ビット23a〜23dは、全て同様の構成となっているが、後述するように掘削翼体22の最も外側に位置する掘削ビット23dだけが他の内側の掘削ビット23a〜23cとは刃先形状が異なっている。
【００３５】
掘削ビット23は、図５に示すように、掘削翼体22の前端部（ホルダー45の保持部45a）に前側から跨設される連結部46と、その連結部46の前側に形成された刃部47とを形成している。
【００３６】
連結部46は、掘削翼体22の前端部（ホルダー45の保持部45a）を挟持する上部片48と下部片49とが設けられ、側面断面が略コ字状に形成されている。上部片48と下部片49にはそれぞれ段部50が形成されている。上部片48には、締結具44としての六角穴付きボルトの頭部を収容するための段付き円筒孔状の貫通孔51が形成されている。一方、下部片49には、締結具44としての六角穴付きボルトの雄ネジに螺着されるための雌ネジを形成したネジ部52が形成されている。上部片48の貫通孔51は、締結具44の頭部が掘削ビット23（上部片48）の上面と同一位置又は上面よりも低い位置となるようにしている。なお、ネジ部52は、貫通孔であっても閉塞孔であってもよい。また、掘削翼体22（ホルダー45）には、締結具44を挿通させるための貫通孔53が形成されている。
【００３７】
掘削ビット23は、掘削翼体22の所定位置に形成された前端部（ホルダー45の保持部45a）に前側から連結部46を挿入して前端部（ホルダー45の保持部45a）を上部片48と下部片49とで挟持させ、その状態で、上部片48の上側から締結具44を貫通孔51,52,53に挿通し、締結具44を下部片49に螺着することで、掘削翼体22に取付けることができる。なお、逆の動作を行うことによって、仮に封止材等の劣化により固化材等が侵入して締結具44が固着した場合でも、ネジ部取外しに伴う強制的な回転作動が発生し、固着された部分の縁切れが行われ、締結具44を容易に取り外すことができ、掘削ビット23を掘削翼体22から取り外すことができる。
【００３８】
ここで、掘削ビット23は、連結部46の左側面（掘削翼体22に掘削ビット23が装着された状態では内側の側面（ホルダー45の張出部45bとの当接面））に略コ字状の封止材54を交換可能に取付けるとともに、連結部の右側面（掘削翼体22に掘削ビット23が装着された状態では外側の側面（ホルダー45の保持部45aとの当接面））に略コ字状の封止材55を交換可能に取付け、さらに、連結部46の後端面（上部片48及び下部片49の後端面（ホルダー45の段部45cとの当接面））にもそれぞれ矩形平板状の封止材56〜59を交換可能に取付けている。なお、左側の封止材54は、ホルダー45の張出部45bと当接するように上部片48の上端部（外側端部）と下部片49の下端部（外側端部）に設けられ、右側の封止材55は、ホルダー45の保持部45aと当接するように上部片48の下端部（内側端部）と下部片49の上端部（内側端部）に設けられている。封止材54〜59は、樹脂等を所定形状に成形したものを用いてもよく、掘削ビット23の装着時に樹脂等を塗布や充填等するようにしてもよい。
【００３９】
これにより、掘削ビット23は、掘削翼体22に装着された状態で掘削翼体22と接触する部分に全て封止材54〜59が設けられていることになる。このように、掘削翼体22と掘削ビット23との間に封止材54〜59を設けることで、地盤掘削時の土砂や地盤改良時の改良材が侵入するのを防止することができる。
【００４０】
また、掘削ビット23を掘削翼体22に装着した際には、上部片48の貫通孔51と締結具44の頭部との隙間や下部片49の貫通孔53と締結具44の下端部との隙間に封止材60,61を設けるようにしている。なお、封止材60,61は、Oリング等で篏合させたり、樹脂等を所定形状に成形したものを用いてもよく、掘削ビット23の装着後に樹脂等を塗布や充填等するようにしてもよく、また、締結具44の外周面前面に樹脂等を塗布や充填等するようにしてもよい。封止材61は、下部片49に設けたネジ部52が貫通孔の場合には必要であり、閉塞孔の場合は不要である。
【００４１】
これにより、掘削ビット23は、締結具44で掘削翼体22に装着された状態で締結具44が露出する部分に全て封止材60,61が設けられていることになる。このように、締結具44が露出する部分に封止材60,61を設けることで、地盤掘削時の土砂や地盤改良時の改良材が侵入するのを防止することができ、締結具44の取り外しが容易となる。
【００４２】
掘削ビット23の刃部47は、先端に２個の先鋭刃62,63を左右に並べて形成し、２個の先鋭刃62,63の上方の間に溝64を形成するとともに、上端部に上部片48の上面よりも上方に突出させた凸状の凸部65を形成している。
【００４３】
ここで、図４に示すように、内側の掘削ビット23a〜23cでは、同一形状（刃先角度が同一）の２個の先鋭刃62,63を形成しているのに対して、掘削翼体22の最も外側に位置する掘削ビット23dでは、外側の先鋭刃63の先鋭端を中央から外側に偏らせた形状としている。
【００４４】
以上に説明したように、上記掘削装置１に設けられた掘削刃体20は、掘削翼体22と掘削ビット23との間に封止材54〜59を設けた構成となっている。
【００４５】
そのため、上記構成の掘削刃体20では、掘削翼体22と掘削ビット23との間に土砂や固化材などが侵入するのを防止することができるので、掘削翼体22から掘削ビット23を容易に取り外すことができ、掘削ビット23の交換作業を容易なものとすることができる。
【００４６】
また、上記掘削刃体20は、掘削翼体22と掘削ビット23とを締結する締結具44の頭部に封止材60を設けた構成となっている。
【００４７】
そのため、上記構成の掘削刃体20では、締結具44に土砂や固化材などが侵入するのを防止することができるので、これによっても、掘削翼体22から掘削ビット23を容易に取り外すことができ、掘削ビットの交換作業を容易なものとすることができる。
【００４８】
また、上記掘削刃体20では、締結具44として六角穴付ボルトを用い、その頭部が掘削ビット23の上面と同一位置又は上面よりも低い位置となり、掘削翼体22（ホルダー45）に形成したネジ部に締結される構成としている。
【００４９】
そのため、上記構成の掘削刃体20では、掘削により移動する土砂・石等で締結具44の頭部や底部を摩耗・損耗させることを防止することができる。また、締結具44を掘削翼体22に形成したネジ部に直接締結するため、仮に封止材等の劣化により固化材等が侵入して締結具が固着した場合でも、ネジ取外しによる強制的な回転作動に伴って、固着された部分の縁切れが行われ、確実に締結具44を容易に取り外すことができるようになる。
【００５０】
また、上記掘削刃体20は、掘削ビット23の刃部47の上端部を凸状に形成した構成となっている。
【００５１】
そのため、上記構成の掘削刃体20では、凸部65が抵抗となり掘削により移動する土砂等が直接に締結具44に接触して頭部を摩耗・損耗させることを防止することができる。さらに、掘削ビット23取外し時の際には、凸部65をハンマー等で打撃することで掘削翼体22から掘削ビット23を容易に取り外すことができる。
【００５２】
また、上記掘削刃体20は、掘削ビット23の刃部47を２個の先鋭刃62,63を並べて形成するとともに、２個の先鋭刃62,63の上方の間に溝64を形成した構成となっている。
【００５３】
そのため、上記構成の掘削刃体20では、先鋭刃62,63で掘削した土砂が、溝64を介して円滑に２個の先鋭刃62,63の間を上部方向へ通過して良好に排出させることができるため、先鋭刃62,63間に土砂等が付着することによる掘削性能の低下を防止することができる。
【００５４】
さらに、上記掘削刃体20は、掘削ビット23a〜23dのうちで掘削翼体22の最も外側に位置する掘削ビット23dの外側の先鋭刃63の先鋭端を外側に偏らせた形状となるように構成している。
【００５５】
そのため、上記構成の掘削刃体20では、最外側部分を刃の先鋭部分として、確実に掘削することができるとともに、最外側部分の土砂が掘削ビット側面に接触する等により生じる側面の摩耗等の防止も可能となる。
【符号の説明】
【００５６】
１  地盤改良装置                        ２  地盤
３  重機                                ４  支柱
５  掘削装置                            ６  地盤改良材供給機構
７  スイベルジョイント                  ８  地盤改良材貯留タンク
９  水槽                                10  地盤改良材混合プラント
11  地盤改良材吐出ポンプ                12  昇降支持体
13  駆動体                              14  掘削軸
15  回転掘削部                          16  内側軸
17  外側軸                              18  駆動モータ
19  反転変速機                          20  掘削刃体
21  撹拌翼                              22  掘削翼体
23  掘削ビット                          24  最内側撹拌翼
25  内側撹拌翼                          26  外側撹拌翼
27  最内側撹拌翼体                      28  内側撹拌翼体
29  内側撹拌翼上部片                    30  内側撹拌翼中途部片
31  内側撹拌翼下部片                    32  環状体
33,34,35  撹拌片                        36  連結片
37  外側撹拌翼体                        38  外側撹拌翼上部片
39  外側撹拌翼中途部片                  40  外側撹拌翼下部片
41  環状体                              42,43  撹拌片
44  締結具                              45  ホルダー
45a  保持部                             45b  張出部
45c  段部                               46  連結部
47  刃部                                48  上部片
49  下部片                              50  段部
51,53  貫通孔                           52  ネジ部
54〜61  封止材                          62,63  先鋭刃
64  溝                                  65  凸部
【図１】
2019039219.tif 000003
【図２】
2019039219.tif 000004
【図３】
2019039219.tif 000005
【図４】
2019039219.tif 000006
【図５】
2019039219.tif 000007
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
掘削翼体に掘削ビットを着脱可能に設けた掘削刃体において、
掘削ビットは、掘削翼体と連結される連結部と、その連結部の前側に形成された刃部とを有し、
掘削翼体と掘削ビットの連結部との間に封止材を設け、
刃部の上端部に連結部の上面よりも上方に突出させた凸状の凸部を形成したことを特徴とする掘削刃体。
【請求項２】
掘削翼体に掘削ビットを着脱可能に設けた掘削刃体において、
掘削ビットは、掘削翼体と連結される連結部と、その連結部の前側に形成された刃部とを有し、
掘削翼体と掘削ビットの連結部とを締結する締結具の頭部に封止材を設け、
刃部の上端部に連結部の上面よりも上方に突出させた凸状の凸部を形成したことを特徴とする掘削刃体。
【請求項３】
前記締結具は、六角穴付ボルトとし、頭部が掘削ビットの連結部の上面と同一位置又は上面よりも低い位置となり、掘削翼体に形成したネジ部に締結されることを特徴とする請求項２に記載の掘削刃体。
【請求項４】
前記掘削ビットは、刃部を２個の先鋭刃を並べて形成するとともに、２個の先鋭刃の上方の間に溝を形成したことを特徴とする請求項１〜請求項３のいずれかに記載の掘削刃体。
【請求項５】
前記掘削ビットは、掘削翼体の最も外側に位置する前記先鋭刃の先鋭端を外側に偏らせた形状としたことを特徴とする請求項４に記載の掘削刃体。
【手続補正２】
【補正対象書類名】明細書
【補正対象項目名】０００７
【補正方法】変更
【補正の内容】
【０００７】
そこで、請求項１に係る本発明では、掘削翼体に掘削ビットを着脱可能に設けた掘削刃体において、掘削ビットは、掘削翼体と連結される連結部と、その連結部の前側に形成された刃部とを有し、掘削翼体と掘削ビットの連結部との間に封止材を設け、刃部の上端部に連結部の上面よりも上方に突出させた凸状の凸部を形成することにした。
【手続補正３】
【補正対象書類名】明細書
【補正対象項目名】０００８
【補正方法】変更
【補正の内容】
【０００８】
また、請求項２に係る本発明では、掘削翼体に掘削ビットを着脱可能に設けた掘削刃体において、掘削ビットは、掘削翼体と連結される連結部と、その連結部の前側に形成された刃部とを有し、掘削翼体と掘削ビットの連結部とを締結する締結具の頭部に封止材を設け、刃部の上端部に連結部の上面よりも上方に突出させた凸状の凸部を形成することにした。
【手続補正４】
【補正対象書類名】明細書
【補正対象項目名】０００９
【補正方法】変更
【補正の内容】
【０００９】
また、請求項３に係る本発明では、前記請求項２に係る本発明において、前記締結具は、六角穴付ボルトとし、頭部が掘削ビットの連結部の上面と同一位置又は上面よりも低い位置となり、掘削翼体に形成したネジ部に締結されることにした。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項４に係る本発明では、前記請求項１〜請求項３のいずれかに係る本発明において、前記掘削ビットは、刃部を２個の先鋭刃を並べて形成するとともに、２個の先鋭刃の上方の間に溝を形成することにした。
【手続補正７】
【補正対象書類名】明細書
【補正対象項目名】００１２
【補正方法】変更
【補正の内容】
【００１２】
また、請求項５に係る本発明では、前記請求項４に係る本発明において、前記掘削ビットは、掘削翼体の最も外側に位置する前記先鋭刃の先鋭端を外側に偏らせた形状とすることにした。